(57)【要約】【課題】  ユーザが効率よくチャンネル（以下Ｃｈという）を選択する。【解決手段】  受信可能Ｃｈデータ（以下データという）が放送受信装置から受信され（Ｓ１０１）、データが記憶され（Ｓ１０２）、記憶されたデータで特定されるメインＣｈを識別可能なＣｈ番号が付されたアイコンを表示するようにタッチパネル式表示部が制御され、表示されたＣｈのうちのいずれかを選択する指示がユーザから受付けられ（Ｓ１２２，１３２）、受付けられたＣｈに対応するサブＣｈがないことが、記憶されているデータで示される場合（Ｓ１２３ＮＯ）、受付けられたメインＣｈの選局を指示する選局信号が放送受信装置に送信され（Ｓ１２５）、受付けられたＣｈに対応するサブＣｈがあることが、記憶されているデータで示される場合（Ｓ１２３ＹＥＳ）、サブＣｈを識別可能なＣｈ番号が付されたアイコンを表示するようにタッチパネル式表示部が制御される（Ｓ１２４）。【選択図】        図３
2006352331.tif 000002
【特許請求の範囲】
【請求項１】
リモートコントローラを備える放送受信装置であって、
前記放送受信装置の本体は、
受信可能な放送の複数のチャンネルを検索するチャンネル検索手段と、
前記チャンネル検索手段によって検索されたチャンネルを特定可能な受信可能チャンネル情報を記憶する受信可能チャンネル記憶手段と、
前記受信可能チャンネル記憶手段に記憶された受信可能チャンネル情報を前記リモートコントローラに送信する受信可能チャンネル送信手段と、
前記リモートコントローラから前記選局信号を受信する選局信号受信手段と、
前記選局信号受信手段によって受信された選局信号で示されるチャンネルを選局する選局手段とを備え、
前記リモートコントローラは、
前記放送受信装置で受信可能な放送の複数のチャンネルを特定可能な受信可能チャンネル情報を前記放送受信装置から受信する受信可能チャンネル受信手段と、
前記受信可能チャンネル受信手段によって受信された受信可能チャンネル情報を記憶する受信情報記憶手段と、
表示画面上に設けられ、ユーザが接触した表示画面上の位置を感知して、前記区分指示受付手段に前記位置を特定するための位置情報を送信するタッチパネルセンサを備え、所定の情報を表示する表示手段と、
前記受信情報記憶手段に記憶された受信可能チャンネル情報で特定されるマルチチャンネル放送のメインチャンネルを識別可能なチャンネル番号を表示するように前記表示手段を制御する区分表示制御手段と、
前記区分表示制御手段によって表示されたチャンネル番号で示されるチャンネルのうちの、前記タッチパネルセンサから受信した位置情報で示される位置に前記区分表示制御手段によって表示されているチャンネル番号で示されるチャンネルを選択する指示をユーザから受付ける区分指示受付手段と、
前記区分指示受付手段によって受付けられたチャンネルに対応する前記マルチチャンネル放送のサブチャンネルがないことが前記受信情報記憶手段に記憶されている受信可能チャンネル情報で示される場合、前記区分指示受付手段によって受付けられたメインチャンネルの選局を指示する選局信号を前記放送受信装置に送信し、前記区分指示受付手段によって前記サブチャンネルを選択する指示が受付けられた場合、前記区分指示受付手段によって受付けられた前記サブチャンネルの選局を指示する選局信号を前記放送受信装置に送信する選局信号送信手段とを備え、
前記区分表示制御手段は、前記区分指示受付手段によって受付けられたチャンネルに対応するサブチャンネルがあることが前記受信情報記憶手段に記憶されている受信可能チャンネル情報で示される場合、前記サブチャンネルを識別可能なチャンネル番号を表示するように前記表示手段を制御する、放送受信装置。
【請求項２】
放送受信装置のリモートコントローラであって、
前記放送受信装置で受信可能な放送の複数のチャンネルを特定可能な受信可能チャンネル情報を前記放送受信装置から受信する受信可能チャンネル受信手段と、
前記受信可能チャンネル受信手段によって受信された受信可能チャンネル情報を記憶する受信情報記憶手段と、
所定の情報を表示する表示手段と、
前記受信情報記憶手段に記憶された受信可能チャンネル情報で特定される上位のチャンネル区分を識別可能な区分情報を表示するように前記表示手段を制御する区分表示制御手段と、
前記区分表示制御手段によって表示された区分情報で示されるチャンネル区分のうちのいずれかを選択する指示をユーザから受付ける区分指示受付手段と、
前記区分指示受付手段によって受付けられたチャンネル区分に対応する下位のチャンネル区分がないことが前記受信情報記憶手段に記憶されている受信可能チャンネル情報で示される場合、前記区分指示受付手段によって受付けられたチャンネル区分に対応するチャンネルの選局を指示する選局信号を前記放送受信装置に送信する選局信号送信手段とを備え、
前記区分表示制御手段は、前記区分指示受付手段によって受付けられたチャンネル区分に対応する下位のチャンネル区分があることが前記受信情報記憶手段に記憶されている受信可能チャンネル情報で示される場合、前記下位のチャンネル区分を識別可能な区分情報を表示するように前記表示手段を制御する、リモートコントローラ。
【請求項３】
前記下位のチャンネル区分は、マルチチャンネル放送のサブチャンネルであり、
前記上位のチャンネル区分は、前記マルチチャンネル放送のメインチャンネルである、請求項２に記載のリモートコントローラ。
【請求項４】
前記下位のチャンネル区分は、地上デジタル放送のマルチチャンネル放送のサブチャンネルであり、
前記サブチャンネルの上位のチャンネル区分は、前記マルチチャンネル放送のメインチャンネルであり、
前記メインチャンネルの上位のチャンネル区分は、前記地上デジタル放送と、前記地上デジタル放送と異なる放送区分とを区分するための区分である、請求項２に記載のリモートコントローラ。
【請求項５】
前記表示手段は、表示画面上に設けられ、ユーザが接触した表示画面上の位置を感知して、前記位置を特定するための位置情報を前記区分指示受付手段に送信するセンサを備え、
前記区分指示受付手段は、前記センサから受信した位置情報で示される位置に前記区分表示制御手段によって表示されている区分情報で示されるチャンネル区分を選択する指示を受付ける、請求項２から請求項４までのいずれかに記載のリモートコントローラ。
【請求項６】
前記センサは、タッチパネルセンサである、請求項２から請求項５までのいずれかに記載のリモートコントローラ。
【請求項７】
前記チャンネル区分を識別可能な区分情報は、チャンネルを識別可能なチャンネル番号である、請求項２から請求項６までのいずれかに記載のリモートコントローラ。
【請求項８】
請求項２から請求項７までのいずれかに記載のリモートコントローラと、
前記受信可能チャンネル情報を記憶する受信可能チャンネル記憶手段と、
前記受信可能チャンネル記憶手段に記憶された受信可能チャンネル情報を前記リモートコントローラに送信する受信可能チャンネル送信手段と、
前記リモートコントローラから前記選局信号を受信する選局信号受信手段と、
前記選局信号受信手段によって受信された選局信号で示されるチャンネル区分に対応するチャンネルを選局する選局手段とを備えた、放送受信装置。
【請求項９】
受信可能な放送のチャンネルを検索するチャンネル検索手段をさらに備え、
前記受信可能チャンネル記憶手段は、前記チャンネル検索手段によって検索されたチャンネルを特定可能な前記受信可能チャンネル情報を記憶する、請求項８に記載の放送受信装置。
【請求項１０】
請求項８または請求項９に記載の放送受信装置と、
前記放送受信装置によって受信された放送を表示する表示手段とを備える、放送受像装置。
【請求項１１】
放送受信装置のリモートコントローラでチャンネルを切替える制御を行なうチャンネル切替制御方法であって、
前記リモートコントローラは、所定の情報を記憶する記憶手段と、所定の情報を表示する表示手段とを備え、
前記放送受信装置で受信可能な放送の複数のチャンネルを特定可能な受信可能チャンネル情報を前記放送受信装置から受信するステップと、
受信された受信可能チャンネル情報を前記記憶手段に記憶させるステップと、
前記記憶手段に記憶された受信可能チャンネル情報で特定される上位のチャンネル区分を識別可能な区分情報を表示するように前記表示手段を制御するステップと、
表示された区分情報で示されるチャンネル区分のうちのいずれかを選択する指示をユーザから受付けるステップと、
受付けられたチャンネル区分に対応する下位のチャンネル区分がないことが前記記憶手段に記憶されている受信可能チャンネル情報で示される場合、受付けられたチャンネル区分に対応するチャンネルの選局を指示する選局信号を前記放送受信装置に送信するステップとを含み、
前記表示手段を制御するステップは、受付けられたチャンネル区分に対応する下位のチャンネル区分があることが前記記憶手段に記憶されている受信可能チャンネル情報で示される場合、前記下位のチャンネル区分を識別可能な前記区分情報を表示するように前記表示手段を制御する、チャンネル切替制御方法。
【発明の詳細な説明】
【技術分野】
【０００１】
本発明は、放送受信装置、リモートコントローラ、放送受像装置、および、チャンネル切替制御方法に関し、特に、チャンネルを切替えるのに適した放送受信装置、リモートコントローラ、放送受像装置、および、チャンネル切替制御方法に関する。
【背景技術】
【０００２】
従来、テレビのリモコンは、チャンネルを切替えるための押しボタンスイッチを備えたものが一般的であった。そして、複数の押しボタンスイッチのうちの１つがユーザによって押下されると、押下された押しボタンスイッチに応じたコマンド信号がテレビの本体に送信される。テレビの本体では、受信したコマンド信号に応じたチャンネルに切替える制御が行なわれる。これによって、チャンネルを切替えることが可能となる。
【０００３】
特許文献１には、相手先機器からメニューデータを取得して、このメニューデータから表示情報を生成し、この表示情報に基づいて液晶タッチパネル等の入力機能付表示装置にメニューを表示させるようにしたリモコン装置が開示されている。このリモコン装置によれば、リモコン本体の液晶タッチパネル上にテレビ用表示画面が表示される。テレビ用表示画面には、チャンネル選択用の数字ボタンと、電源ボタンが表示され、このボタン領域を操作者が指先で押圧することによって液晶タッチパネルを通じて操作が検出され、コマンド送信部より通信装置を通じてテレビ受信機にコマンドが送信される（たとえば、特許文献１の第６頁第２８行から第３３行まで参照）。
【０００４】
特許文献２には、消費電力が少なく、安価なアイコン表示方式のリモコンが開示されている。このリモコンは、液晶表示装置にテレビチャンネル等のアイコン情報を表示させ、前記アイコン情報を前記タッチパネルセンサーの押圧操作により所望のチャンネル等を選択して、テレビモニタを含むテレビ等の本体へ光信号で送信する（たとえば、特許文献２の第０００９段落参照）。
【特許文献１】国際公開第２００２／０２１８７７号パンフレット
【特許文献２】特開平９−３２２０１３号公報
【発明の開示】
【発明が解決しようとする課題】
【０００５】
近年、地上デジタル放送が開始され、１つの物理チャンネルで複数の番組を放送できるマルチチャンネル放送が可能となった。また、衛星デジタル放送では、以前から多チャンネルの放送が行なわれている。このように、テレビ放送のチャンネル数はますます増加してきている。
【０００６】
しかし、特許文献１に開示されているリモコン装置および特許文献２に開示されているリモコンでは、チャンネル数が増加した場合に対応する工夫については開示されていない。したがって、多くのチャンネルを効率よくリモコンの表示装置に表示させることができないので、ユーザは効率よくチャンネルを選択できないといった問題があった。
【０００７】
この発明は上述の問題点を解決するためになされたもので、この発明の目的の１つは、ユーザが効率よくチャンネルを選択することが可能な放送受信装置、リモートコントローラ、放送受像装置、および、チャンネル切替制御方法を提供することである。
【課題を解決するための手段】
【０００８】
上述した課題を解決するために、この発明のある局面に従えば、放送受信装置のリモートコントローラは、受信可能チャンネル受信部と、受信情報記憶部と、表示部と、区分表示制御部と、区分指示受付部と、選局信号送信部とを備える。
【０００９】
受信可能チャンネル受信部は、放送受信装置で受信可能な放送の複数のチャンネルを特定可能な受信可能チャンネル情報を放送受信装置から受信する。受信情報記憶部は、受信可能チャンネル受信部によって受信された受信可能チャンネル情報を記憶する。表示部は、所定の情報を表示する。区分表示制御部は、受信情報記憶部に記憶された受信可能チャンネル情報で特定される上位のチャンネル区分を識別可能な区分情報を表示するように表示部を制御する。
【００１０】
区分指示受付部は、区分表示制御部によって表示された区分情報で示されるチャンネル区分のうちのいずれかを選択する指示をユーザから受付ける。選局信号送信部は、区分指示受付部によって受付けられたチャンネル区分に対応する下位のチャンネル区分がないことが受信情報記憶部に記憶されている受信可能チャンネル情報で示される場合、区分指示受付部によって受付けられたチャンネル区分に対応するチャンネルの選局を指示する選局信号を放送受信装置に送信する。
【００１１】
また、区分表示制御部は、区分指示受付部によって受付けられたチャンネル区分に対応する下位のチャンネル区分があることが受信情報記憶部に記憶されている受信可能チャンネル情報で示される場合、下位のチャンネル区分を識別可能な区分情報を表示するように表示部を制御する。
【００１２】
好ましくは、下位のチャンネル区分は、マルチチャンネル放送のサブチャンネルであり、上位のチャンネル区分は、マルチチャンネル放送のメインチャンネルである。
【００１３】
好ましくは、下位のチャンネル区分は、地上デジタル放送のマルチチャンネル放送のサブチャンネルであり、サブチャンネルの上位のチャンネル区分は、マルチチャンネル放送のメインチャンネルであり、メインチャンネルの上位のチャンネル区分は、地上デジタル放送と、地上デジタル放送と異なる放送区分とを区分するための区分である。
【００１４】
好ましくは、表示部は、表示画面上に設けられ、ユーザが接触した表示画面上の位置を感知して、位置を特定するための位置情報を区分指示受付部に送信するセンサを備える。区分指示受付部は、センサから受信した位置情報で示される位置に区分表示制御部によって表示されている区分情報で示されるチャンネル区分を選択する指示を受付ける。
【００１５】
好ましくは、センサは、タッチパネルセンサである。
好ましくは、チャンネル区分を識別可能な区分情報は、チャンネルを識別可能なチャンネル番号である。
【００１６】
この発明の他の局面に従えば、放送受信装置は、上述したリモートコントローラと、受信可能チャンネル記憶部と、受信可能チャンネル送信部と、選局信号受信部と、選局部とを備える。
【００１７】
受信可能チャンネル記憶部は、受信可能チャンネル情報を記憶する。受信可能チャンネル送信部は、受信可能チャンネル記憶部に記憶された受信可能チャンネル情報をリモートコントローラに送信する。選局信号受信部は、リモートコントローラから選局信号を受信する。選局部は、選局信号受信部によって受信された選局信号で示されるチャンネル区分に対応するチャンネルを選局する。
【００１８】
好ましくは、放送受信装置は、受信可能な放送のチャンネルを検索するチャンネル検索部をさらに備える。また、受信可能チャンネル記憶部は、チャンネル検索部によって検索されたチャンネルを特定可能な受信可能チャンネル情報を記憶する。
【００１９】
この発明のさらに他の局面に従えば、放送受像装置は、上述した放送受信装置と、放送受信装置によって受信された放送を表示する表示部とを備える。
【００２０】
この発明のさらに他の局面に従えば、チャンネル切替制御方法は、放送受信装置のリモートコントローラでチャンネルを切替える制御を行なう方法である。リモートコントローラは、所定の情報を記憶する記憶部と、所定の情報を表示する表示部とを備える。
【００２１】
チャンネル切替制御方法は、放送受信装置で受信可能な放送の複数のチャンネルを特定可能な受信可能チャンネル情報を放送受信装置から受信するステップと、受信された受信可能チャンネル情報を記憶部に記憶させるステップと、記憶部に記憶された受信可能チャンネル情報で特定される上位のチャンネル区分を識別可能な区分情報を表示するように表示部を制御するステップと、表示された区分情報で示されるチャンネル区分のうちのいずれかを選択する指示をユーザから受付けるステップと、受付けられたチャンネル区分に対応する下位のチャンネル区分がないことが記憶部に記憶されている受信可能チャンネル情報で示される場合、受付けられたチャンネル区分に対応するチャンネルの選局を指示する選局信号を放送受信装置に送信するステップとを含む。
【００２２】
また、表示部を制御するステップは、受付けられたチャンネル区分に対応する下位のチャンネル区分があることが記憶部に記憶されている受信可能チャンネル情報で示される場合、下位のチャンネル区分を識別可能な区分情報を表示するように表示部を制御する。
【発明の効果】
【００２３】
この発明に従えば、放送受信装置のリモートコントローラによって、放送受信装置で受信可能な放送の複数のチャンネルを特定可能な受信可能チャンネル情報が放送受信装置から受信され、受信された受信可能チャンネル情報が記憶され、記憶された受信可能チャンネル情報で特定される上位のチャンネル区分を識別可能な区分情報を表示するように表示部が制御され、表示された区分情報で示されるチャンネル区分のうちのいずれかを選択する指示がユーザから受付けられ、受付けられたチャンネル区分に対応する下位のチャンネル区分がないことが、記憶されている受信可能チャンネル情報で示される場合、受付けられたチャンネル区分に対応するチャンネルの選局を指示する選局信号が放送受信装置に送信され、受付けられたチャンネル区分に対応する下位のチャンネル区分があることが、記憶されている受信可能チャンネル情報で示される場合、下位のチャンネル区分を識別可能な区分情報を表示するように表示部が制御される。
【００２４】
このため、指示が受付けられたチャンネル区分に対応する下位のチャンネル区分がない場合は、受付けられたチャンネル区分に対応するチャンネルの選局が放送受信装置に指示され、下位のチャンネル区分がある場合は、下位のチャンネル区分の区分情報が表示される。その結果、階層的にチャンネルを選局することができるので、ユーザが効率よくチャンネルを選択することが可能なリモートコントローラを提供することができる。
【００２５】
また、下位および上位のチャンネル区分は、それぞれ、マルチチャンネル放送のサブチャンネルおよびメインチャンネルである。
【００２６】
このため、指示が受付けられたメインチャンネルに対応するサブチャンネルがない場合は、受付けられたメインチャンネルの選局が放送受信装置に指示され、サブチャンネルがある場合は、サブチャンネルのチャンネル情報が表示され、指示が受付けられたサブチャンネルの選局が放送受信装置に指示される。その結果、マルチチャンネル放送のメインチャンネルおよびサブチャンネルを階層的に選局することができるので、ユーザが効率よくチャンネルを選択することができる。
【００２７】
また、地上デジタル放送のマルチチャンネル放送のサブチャンネルの上位のチャンネル区分は、マルチチャンネル放送のメインチャンネルであり、メインチャンネルの上位のチャンネル区分は、地上デジタル放送と、地上デジタル放送と異なる放送区分とを区分するための区分である。
【００２８】
このため、指示が受付けられた地上デジタル放送にメインチャンネルがある場合は、メインチャンネルのチャンネル情報が表示され、指示が受付けられたメインチャンネルに対応するサブチャンネルがない場合は、受付けられたメインチャンネルの選局が放送受信装置に指示され、サブチャンネルがある場合は、サブチャンネルのチャンネル情報が表示され、指示が受付けられたサブチャンネルの選局が放送受信装置に指示される。その結果、地上デジタル放送を含む複数の放送区分のうちから地上デジタル放送のマルチチャンネル放送のメインチャンネルおよびサブチャンネルを階層的に選局することができるので、ユーザが効率よくチャンネルを選択することができる。
【００２９】
また、表示部の表示画面上に設けられるユーザが接触した表示画面上の位置を感知して、位置を特定するための位置情報を送信するセンサから受信した位置情報で示される位置に表示されている区分情報で示されるチャンネル区分を選択する指示が受付けられる。
【００３０】
このため、表示されている区分情報を直接的に接触することによってチャンネル区分を選択することができる。その結果、ユーザがさらに効率よくチャンネルを選択することができる。
【００３１】
また、センサは、タッチパネルセンサである。このため、汎用的な部品でリモートコントローラの表示部を構成できる。その結果、リモートコントローラの生産コストの上昇を抑えることができる。
【００３２】
また、上述したリモートコントローラを備える放送受信装置によって、受信可能チャンネル情報が記憶され、記憶された受信可能チャンネル情報がリモートコントローラに送信され、リモートコントローラから選局信号が受信され、受信された選局信号で示されるチャンネル区分に対応するチャンネルが選局される。
【００３３】
その結果、ユーザが効率よくチャンネルを選択することが可能な放送受信装置を提供することができる。
【００３４】
また、放送受信装置によって、受信可能な放送のチャンネルが検索され、検索されたチャンネルを特定可能な受信可能チャンネル情報が記憶される。
【００３５】
このため、受信可能な放送のチャンネルが変更された場合であっても、検索された結果によって受信可能チャンネル情報が更新される。その結果、受信可能な放送のチャンネルの変更に柔軟に対応することができる。
【００３６】
また、上述した放送受信装置を備える放送受像装置によって、放送受信装置によって受信された放送が表示される。
【００３７】
このため、ユーザが効率よくチャンネルを選択することが可能な放送受像装置を提供することができる。
【００３８】
また、チャンネル切替制御方法によって、放送受信装置で受信可能な放送の複数のチャンネルを特定可能な受信可能チャンネル情報が放送受信装置から受信され、受信された受信可能チャンネル情報が記憶部に記憶され、記憶部に記憶された受信可能チャンネル情報で特定される上位のチャンネル区分を識別可能な区分情報を表示するように表示部が制御され、表示された区分情報で示されるチャンネル区分のうちのいずれかを選択する指示がユーザから受付けられ、受付けられたチャンネル区分に対応する下位のチャンネル区分がないことが記憶部に記憶されている受信可能チャンネル情報で示される場合、受付けられたチャンネル区分に対応するチャンネルの選局を指示する選局信号が放送受信装置に送信され、受付けられたチャンネル区分に対応する下位のチャンネル区分があることが記憶部に記憶されている受信可能チャンネル情報で示される場合、下位のチャンネル区分を識別可能な区分情報を表示するように表示部が制御される。
【００３９】
このため、指示が受付けられたチャンネル区分に対応する下位のチャンネル区分がない場合は、受付けられたチャンネル区分に対応するチャンネルの選局が放送受信装置に指示され、下位のチャンネル区分がある場合は、下位のチャンネル区分の区分情報が表示される。その結果、階層的にチャンネルを選局することができるので、ユーザが効率よくチャンネルを選択することが可能なチャンネル切替制御方法を提供することができる。
【発明を実施するための最良の形態】
【００４０】
以下、この発明の実施の形態について、図面を参照しながら詳細に説明する。なお、図中の同一または相当部分については、同一符号を付してその説明は繰返さない。
【００４１】
［第１実施形態］
図１は、この発明の第１実施形態に従う放送受信装置１の概略構成図である。
【００４２】
［００４２］
図１を参照して、この発明の第１実施形態に従う放送受信装置１は、アンテナ３０から放送信号を受信し、リモコン４２から指令信号を受信し、モニタ４０に映像信号および音声信号を出力する。
【００４３】
アンテナ３０は、放送局から電波で送信されてくる放送信号を受信し、放送受信装置１に供給する。
【００４４】
リモコン４２は、ユーザから所望の操作を受付けて、ユーザによる操作に応じた操作信号を赤外線で放送受像装置１００に送信する。なお、リモコン４２から出力される操作信号は、赤外線に限定されず、無線であってもよい。また、リモコン４２およびリモコン送受信部２６に替えて、または、リモコン４２およびリモコン送受信部２６とともに、放送受信装置１の本体に、ユーザからの操作を受付けて、操作信号を制御部１０に出力する操作受付部を設けるようにしてもよい。
【００４５】
放送受信装置１は、制御部１０と、チューナ１６と、復調部１８と、デコーダ２２と、リモコン送受信部２６とを含む。
【００４６】
制御部１０は、プログラムを実行するＣＰＵ（Central Processing Unit）１０Ａと、実行されるプログラム、プログラム実行中のデータ、および、プログラム実行結果のデータを記憶するメモリ１０Ｂとを含む。
【００４７】
チューナ１６は、受信した放送信号の中から、制御部１０からの指令に応じて選択されたチャンネルに対応する放送信号を抽出する。そして、チューナ１６は、抽出した放送信号を復調部１８へ出力する。
【００４８】
復調部１８は、チューナ１６から放送信号を受けて、放送信号を映像および音声がデジタル符号化されたＭＰＥＧ−２ＴＳ（Moving Picture Experts Group phase 2 Transport Stream）信号に復調し、ＭＰＥＧ−２ＴＳ信号をデコーダ２２へ出力する。
【００４９】
ここで、デジタルテレビ放送信号は、リード・ソロモン符号および畳み込み符号で符号化されて送信される。そのため、復調部１８は、上述の復号処理において誤り訂正ができる。この誤り訂正の処理過程において、復調部１８は、受信した放送信号の受信データ誤り率を演算し、その受信データ誤り率を制御部１０へ出力する。
【００５０】
なお、デジタルテレビ放送には、日本のＩＳＤＢ−Ｔ（Integrated Services Digital Broadcasting for Terrestrial）方式の他に、米国のＡＴＳＣ（Advanced Television Systems Committee）方式およびヨーロッパのＤＶＢ−Ｔ（Digital Video Broadcasting for Terrestrial）がある。
【００５１】
デコーダ２２は、復調部１８から受けたＭＰＥＧ−２ＴＳ信号を映像信号および音声信号に復号する。そして、デコーダ２２は、復号された映像信号および音声信号をモニタ４０へ出力する。
【００５２】
リモコン送受信部２６は、リモコン４２からの操作信号を受信して、受信した操作信号を制御部１０へ出力する。また、リモコン受信部２６は、制御部１０から受けた所定の情報をリモコン４２に送信する。
【００５３】
制御部１０は、リモコン送受信部２６から受信した操作信号に応じて、チューナ１６、復調部１８、および、デコーダ２２を制御する。
【００５４】
モニタ４０は、デコーダ２２からの映像信号および音声信号をそれぞれ映像および音声に変換して、変換された映像および音声をユーザが視聴可能なようにする。
【００５５】
図２は、この発明の第１実施形態に従う放送受信装置１のリモコン４２の概略構成図である。
【００５６】
図２を参照して、リモコン４２は、制御部４２０と、タッチパネル式表示部４２２と、入力部４２７と、送受信部４２８とを含む。
【００５７】
制御部４２０は、プログラムを実行するＣＰＵと、実行されるプログラム、プログラム実行中のデータ、および、プログラム実行結果のデータを記録するメモリとを含む。
【００５８】
送受信部４２８は、制御部４２０により制御されて、放送受信装置１との間で所定の情報を赤外線で送受信する。
【００５９】
入力部４２７は、所定の操作ボタンによるユーザの操作を受付けて、受付けられた操作に応じた操作信号を制御部４２０に送信する。
【００６０】
タッチパネル式表示部４２２は、制御部４２０により制御されて、所定の情報を表示する。また、タッチパネル式表示部４２２は、ユーザが接触した表示画面上の位置を感知して、その位置を特定するための位置データを制御部４２０に送信するタッチパネルセンサを表示画面上に備える。制御部４２０は、タッチパネル式表示部４２２に表示させるためのデータと、タッチパネルセンサからの位置データとに基づいて、ユーザが接触した表示画面内の対象を判別する。
【００６１】
図３は、この発明の第１実施形態に従う放送受信装置１の本体側およびリモコン４２側の選局処理の流れを示すフローチャートである。
【００６２】
図３を参照して、まず、放送受信装置１において、ステップＳ２０１で、放送受信装置１の制御部１０は、オートスキャンの指示があったか否かを判断する。オートスキャンは、放送受信装置１が受信可能な複数のチャンネルを検索して、検索されたチャンネルを特定可能な受信可能チャンネルデータをメモリ１０Ｂに記憶させる処理をいう。
【００６３】
受信可能チャンネルデータには、たとえば、地上デジタル放送のメインチャンネルの１，２，３，４，５，６，７，８，１０チャンネル、サブチャンネルの１−１，１−２，２−１，２−２，２−３，４−１，４−２，１０−１，１０−２，１０−３チャンネル、ＢＳ（Broadcasting Satellite）デジタル放送の１〜１０チャンネル、ＣＳ（Communication Satellite）デジタル放送の２０１，２０２，２０３，２０４，２１０，２１１，２１２，２１３，２１４，２１５，２１６，２１７，２１８，２２０，２２１，２２２，２２３チャンネルを特定可能なデータが含まれる。
【００６４】
オートスキャンの指示は、制御部１０自体で定期的に出されるようにしてもよいし、ユーザが放送受信装置１に対して出すようにしてもよい。
【００６５】
オートスキャンの指示があったと判断した場合（ステップＳ２０１でＹＥＳの場合）、ステップＳ２０２で、制御部１０は、オートスキャンを実行する。そして、ステップＳ２０３で、制御部１０は、メモリ１０Ｂに記憶された受信可能チャンネルデータをリモコン４２に送信する。
【００６６】
オートスキャンの指示がないと判断した場合（ステップＳ２０１でＮＯの場合）、または、ステップＳ２０３の後、制御部１０は、実行する処理をステップＳ２１１に進める。
【００６７】
次に、リモコン４２において、ステップＳ１０１で、リモコン４２の制御部４２０は、放送受信装置１の本体から受信可能チャンネルデータを受信したか否かを判断する。受信可能チャンネルデータを受信したと判断した場合（ステップＳ１０１でＹＥＳの場合）、ステップＳ１０２で、制御部４２０は、受信した受信可能チャンネルデータを制御部４２０のメモリに記憶させる。
【００６８】
受信可能チャンネルデータを受信していないと判断した場合（ステップＳ１０１でＮＯの場合）、または、ステップＳ１０２の後、制御部４２０は、区分選択処理を実行する。  
【００６９】
図４は、この発明の第１実施形態に従う区分選択処理の流れを示すフローチャートである。
【００７０】
図４を参照して、区分選択処理は、図３で説明したリモコン４２側の選局処理のステップＳ１１０でサブルーチンとして実行される処理である。まず、ステップＳ１１１で、リモコン４２の制御部４２０は、放送区分をタッチパネル式表示部４２２に表示中であるか否かを判断する。
【００７１】
図５は、この発明の第１実施形態に従うリモコン４２に表示される画面を示す表示画面図である。
【００７２】
図５を参照して、リモコン４２は、図２で説明した入力部４２７として、電源ボタン４２１、音量ＵＰボタン４２３、音量ＤＯＷＮボタン４２４、決定ボタン４２５、方向操作ボタン４２６を含む。また、リモコン４２は、図２で説明したようにタッチパネル式表示部４２２を含む。
【００７３】
電源ボタン４２１は、放送受信装置１の電源の入り切りを切替える操作を受付けるための操作受付部である。
【００７４】
音量ＵＰボタン４２３、および、音量ＤＯＷＮボタン４２４は、それぞれ、放送受信装置１から出力される音量を増加および減少させる操作を受付けるための操作受付部である。
【００７５】
方向操作ボタン４２６は、タッチパネル式表示部４２２に表示されるアイコンのうち選択候補のアイコンをその方向操作ボタン４２６に描かれている矢印の方向に切替える操作を受付けるための操作受付部である。
【００７６】
決定ボタン４２５は、方向操作ボタン４２６で選択された選択候補のアイコンの選択を決定する操作を受付けるための操作受付部である。
【００７７】
なお、本実施の形態においては、方向操作ボタン４２６で選択候補を切替えて決定ボタン４２５で選択を決定することによってアイコンを選択することに加えて、タッチパネル式表示部４２２に表示されているアイコンの表示画面上の位置をユーザが直接触れることによってもアイコンを選択することができる。
【００７８】
ここでは、図３のステップＳ２０１で説明したように、受信可能チャンネルデータには、放送区分として、地上デジタル放送、ＢＳデジタル放送、および、ＣＳデジタル放送を特定可能なデータが含まれるので、放送区分を示す区分情報として、「地上デジタル」「ＢＳデジタル」「ＣＳデジタル」のアイコンがタッチパネル式表示部４２２に表示される。
【００７９】
図４に戻って、図５で説明した放送区分を示す区分情報が表示されている場合に、制御部４２０は、放送区分を表示中であると判断する。放送区分を表示中でないと判断した場合（ステップＳ１１１でＮＯの場合）、リモコン４２の制御部４２０は、実行する処理をステップＳ１１８に進める。
【００８０】
放送区分を表示中であると判断した場合（ステップＳ１１１でＹＥＳの場合）、ステップＳ１１２で、制御部４２０は、「地上デジタル」のアイコンが選択されたか否かを判断する。「地上デジタル」のアイコンが選択されたと判断した場合（ステップＳ１１２でＹＥＳの場合）、ステップＳ１１３で、制御部４２０は、メモリに記憶されている受信可能チャンネルデータに従って、地上デジタル放送の複数のメインチャンネルを示すチャンネル番号のアイコンを表示するようにタッチパネル式表示部４２２を制御する。
【００８１】
図６は、この発明の第１実施形態に従うリモコン４２に表示される画面を示す第２の表示画面図である。
【００８２】
図６を参照して、図３のステップＳ２０１で説明したように、本実施の形態においては、受信可能チャンネルデータには、地上デジタル放送のメインチャンネルを特定可能なデータとして、１，２，３，４，５，６，７，８，１０チャンネルを特定可能なデータが含まれるので、地上デジタル放送のメインチャンネルのアイコンとして、「１」「２」「３」「４」「５」「６」「７」「８」「１０」のようにチャンネル番号がそれぞれ付されたアイコンがタッチパネル式表示部４２２に表示される。
【００８３】
また、サブチャンネルを有するメインチャンネルのアイコンは、サブチャンネルを有しないメインチャンネルとアイコンと異なる態様で表示される。ここでは、サブチャンネルを有しない「３」「５」「６」「７」「８」のメインチャンネルのアイコンの枠線が一重線で表示され、サブチャンネルを有する「１」「２」「４」「１０」のメインチャンネルのアイコンの枠線が二重線で表示される。このように表示されることで、ユーザはサブチャンネルを有するメインチャンネルを見分けることが可能となる。その結果、ユーザは効率よくチャンネルを選択することができる。
【００８４】
図４に戻って、「地上デジタル」のアイコンが選択されていないと判断した場合（ステップＳ１１２でＮＯの場合）、または、ステップＳ１１３の後、ステップＳ１１４で、制御部４２０は、「ＢＳデジタル」のアイコンが選択されたか否かを判断する。「ＢＳデジタル」のアイコンが選択されたと判断した場合（ステップＳ１１４でＹＥＳの場合）、ステップＳ１１５で、制御部４２０は、ＢＳデジタル放送の複数のチャンネルを示すチャンネル番号のアイコンを表示するようにタッチパネル式表示部４２２を制御する。
【００８５】
「ＢＳデジタル」のアイコンが選択されていないと判断した場合（ステップＳ１１４でＮＯの場合）、または、ステップＳ１１５の後、ステップＳ１１６で、制御部４２０は、「ＣＳデジタル」のアイコンが選択されたか否かを判断する。「ＣＳデジタル」のアイコンが選択されたと判断した場合（ステップＳ１１６でＹＥＳの場合）、ステップＳ１１７で、制御部４２０は、メモリに記憶されている受信可能チャンネルデータに従って、ＣＳデジタル放送の複数のチャンネルを示すチャンネル番号のアイコンを表示するようにタッチパネル式表示部４２２を制御する。
【００８６】
図８は、この発明の第１実施形態に従うリモコンに表示される画面を示す第４の表示画面図である。
【００８７】
図８を参照して、図３のステップＳ２０１で説明したように、本実施の形態においては、受信可能チャンネルデータには、ＣＳデジタル放送のチャンネルを特定可能なデータとして、２０１，２０２，２０３，２０４，２１０，２１１，２１２，２１３，２１４，２１５，２１６，２１７，２１８，２２０，２２１，２２２，２２３チャンネルを特定可能なデータが含まれるので、ＣＳデジタル放送のチャンネルのアイコンとして、「２０１」「２０２」・・・「２２２」「２２３」のようにチャンネル番号がそれぞれ付されたアイコンがタッチパネル式表示部４２２に表示される。
【００８８】
なお、ＣＳデジタル放送のようにチャンネル数が多い場合に、チャンネルのアイコンを表示するときには、図８のタッチパネル式表示部４２２の表示画面で示すように、スクロールバーを設けて、チャンネルのアイコンをスクロールさせて表示可能なようにする。
【００８９】
図４に戻って、「ＣＳデジタル」のアイコンが選択されていないと判断した場合（ステップＳ１１６でＮＯの場合）、または、ステップＳ１１７の後、ステップＳ１１８で、制御部４２０は、ＢＳデジタル放送またはＣＳデジタル放送のチャンネルのアイコンが選択されたか否かを判断する。
【００９０】
ＢＳデジタル放送またはＣＳデジタル放送のチャンネルのアイコンが選択されたと判断した場合（ステップＳ１１８でＹＥＳの場合）、ステップＳ１１９で、制御部４２０は、選択されたチャンネルの選局を指示する選局信号を放送受信装置１に送信するように送受信部４２８を制御する。
【００９１】
ＢＳデジタル放送又はＣＳデジタル放送のチャンネルのアイコンが選択されていないと判断した場合（ステップＳ１１８でＮＯの場合）、または、ステップＳ１１９の後、制御部４２０は、実行する処理をこの区分選択処理の呼出元の処理である選局処理に戻す。
【００９２】
図３に戻って、ステップＳ１２１で、リモコン４２の制御部４２０は、図６で示したように、地上デジタル放送のメインチャンネルを表示中であるか否かを判断する。メインチャンネルを表示中でないと判断した場合（ステップＳ１２１でＮＯの場合）、制御部４２０は、実行する処理をステップＳ１３１に進める。
【００９３】
メインチャンネルを表示中であると判断した場合（ステップＳ１２１でＹＥＳの場合）、ステップＳ１２２で、制御部４２０は、表示された複数のメインチャンネルのうちのいずれかのメインチャンネルが選択されたか否かを判断する。メインチャンネルが選択されていないと判断した場合（ステップＳ１２２でＮＯの場合）、制御部４２０は、実行する処理をステップＳ１３１に進める。
【００９４】
メインチャンネルが選択されたと判断した場合（ステップＳ１２２でＹＥＳの場合）、ステップＳ１２３で、制御部４２０は、メモリに記憶されている受信可能チャンネルデータに基づいて、選択されたメインチャンネルがサブチャンネルを有するか否かを判断する。
【００９５】
選択されたメインチャンネルがサブチャンネルを有すると判断した場合（ステップＳ１２３でＹＥＳの場合）、ステップＳ１２４で、制御部４２０は、メモリに記憶されている受信可能チャンネルデータに従って、選択されたメインチャンネルに対応するサブチャンネルを示すチャンネル番号のアイコンを表示するようにタッチパネル式表示部４２２を制御する。ステップＳ１２４の後、制御部４２０は、実行する処理をステップＳ１３１に進める。
【００９６】
図７は、この発明の第１実施形態に従うリモコン４２に表示される画面を示す第３の表示画面図である。
【００９７】
図７を参照して、ここでは、選択されたメインチャンネルが２チャンネルである場合に表示される画面について説明する。図３のステップＳ２０１で説明した受信可能チャンネルデータには、地上デジタル放送のメインチャンネルのうち２チャンネルに対応するサブチャンネルを特定可能なデータとして、２−１，２−２，２−３チャンネルを特定可能なデータが含まれるので、選択されたメインチャンネルに対応するサブチャンネルのアイコンとして、「２−１」「２−２」「２−３」のようにチャンネル番号がそれぞれ付されたアイコンがタッチパネル式表示部４２２に表示される。
【００９８】
また、図６で説明したメインチャンネルを表示する画面に戻ることを指示するため「戻る」の文字が付されたアイコンがタッチパネル式表示部４２２に表示される。
【００９９】
図３に戻って、選択されたメインチャンネルがサブチャンネルを有しないと判断した場合（ステップＳ１２３でＮＯの場合）、ステップＳ１２５で、制御部４２０は、選択されたメインチャンネルの選局を指示する選局信号を、放送受信装置１の本体に送信するように送受信部４２８を制御する。ステップＳ１２５の後、制御部４２０は、実行する処理をステップＳ１３１に進める。
【０１００】
次に、ステップＳ１３１で、制御部４２０は、図７で示したように、地上デジタル放送のサブチャンネルを表示中であるか否かを判断する。サブチャンネルを表示中でないと判断した場合（ステップＳ１３１でＮＯの場合）、制御部４２０は、実行する処理をこの選局処理の呼出元の処理に戻す。
【０１０１】
サブチャンネルを表示中であると判断した場合（ステップＳ１３１でＹＥＳの場合）、ステップＳ１３２で、制御部４２０は、表示されたサブチャンネルのうちのいずれかのサブチャンネルが選択されたか否かを判断する。
【０１０２】
サブチャンネルが選択されたと判断した場合（ステップＳ１３２でＹＥＳの場合）、ステップＳ１３３で、制御部４２０は、選択されたサブチャンネルの選局を指示する選局信号を、放送受信装置１の本体に送信するように送受信部４２８を制御する。
【０１０３】
サブチャンネルが選択されていないと判断した場合（ステップＳ１３２でＮＯの場合）、または、ステップＳ１３３の後、ステップＳ１３４で、制御部４２０は、図７で説明した「戻る」のアイコンが選択されたか否かを判断する。
【０１０４】
「戻る」のアイコンが選択されたと判断した場合（ステップＳ１３４でＹＥＳの場合）、ステップＳ１３５で、制御部４２０は、図６で説明したメインチャンネルを表示する画面を表示するようにタッチパネル式表示部４２２を制御する。
【０１０５】
「戻る」のアイコンが選択されていないと判断した場合（ステップＳ１３４でＮＯの場合）、または、ステップＳ１３５の後、制御部４２０は、実行する処理をこの選局処理の呼出元の処理に戻す。
【０１０６】
また、放送受信装置１において、ステップＳ２１１で、放送受信装置１の制御部１０は、リモコン４２から選局信号を受信したか否かを判断する。選局信号は、ステップＳ１２５、ステップＳ１３３、または、図４のステップＳ１１９で、リモコン４２の制御部４２０によって放送受信装置１に送信される。
【０１０７】
選局信号を受信したと判断した場合（ステップＳ２１１でＹＥＳの場合）、ステップＳ２１２で、制御部１０は、受信した選局信号で示されるチャンネルを選局するようチューナ１６を制御する。
【０１０８】
選局信号を受信していないと判断した場合（ステップＳ２１１でＮＯの場合）、または、ステップＳ２１２の後、制御部１０は、実行する処理をこの選局処理の呼出元の処理に戻す。
【０１０９】
以上説明したように、第１実施形態におけるリモコン４２によれば、ステップＳ１０１で、放送受信装置１で受信可能な放送の複数のチャンネルを特定可能な受信可能チャンネルデータが放送受信装置１から受信され、ステップＳ１０２で、受信された受信可能チャンネルデータが制御部４２０のメモリに記憶され、図６で示したように、ステップＳ１１３で、メモリに記憶された受信可能チャンネルデータで特定される上位のチャンネル区分であるメインチャンネルを識別可能なチャンネル番号が付されたアイコンを表示するようにタッチパネル式表示部４２２が制御され、ステップＳ１２２またはステップＳ１３２で、表示されたチャンネル番号で示されるチャンネルのうちのいずれかを選択する指示がユーザから受付けられ、受付けられたチャンネルに対応する下位のチャンネルであるサブチャンネルがないことが、メモリに記憶されている受信可能チャンネルデータで示される場合（ステップＳ１２３でＮＯの場合）、ステップＳ１２５で、受付けられたメインチャンネルの選局を指示する選局信号が放送受信装置１に送信され、受付けられたチャンネルに対応するサブチャンネルがあることが、メモリに記憶されている受信可能チャンネルデータで示される場合（ステップＳ１２３でＹＥＳの場合）、図７で示したように、ステップＳ１２４で、サブチャンネルを識別可能なチャンネル番号が付されたアイコンを表示するようにタッチパネル式表示部４２２が制御される。
【０１１０】
このように、指示が受付けられたチャンネルに対応する下位のチャンネルであるサブチャンネルがない場合は、受付けられたメインチャンネルの選局が放送受信装置１に指示され、下位のチャンネルがある場合は、下位のチャンネルであるサブチャンネルのチャンネル番号が表示される。その結果、階層的にチャンネルを選局することができるので、ユーザが効率よくチャンネルを選択することが可能なリモコン４２を提供することができる。
【０１１１】
また、図５で示したように、メモリに記憶された受信可能チャンネルデータで特定される上位のチャンネル区分である放送区分を識別可能なアイコンを表示するようにタッチパネル式表示部４２２が制御され、ステップＳ１１２、ステップＳ１１４、または、ステップＳ１１６で、表示されたアイコンで示される放送区分のうちのいずれかを選択する指示がユーザから受付けられ、受付けられた放送区分に対応するチャンネルがあることが、メモリに記憶されている受信可能チャンネルデータで示される場合（ステップＳ１１２、ステップＳ１１４、または、ステップＳ１１６でＹＥＳの場合）、図６で示したように、ステップＳ１１３で、地上デジタル放送のメインチャンネルを識別可能なチャンネル番号が付されたアイコンを表示するようにタッチパネル式表示部４２２が制御され、ステップＳ１１５で、ＢＳデジタル放送のチャンネルを識別可能なチャンネル番号が付されたアイコンを表示するようにタッチパネル式表示部４２２が制御され、または、ステップＳ１１７で、図８で示したように、ＣＳデジタル放送のチャンネルを識別可能なチャンネル番号が付されたアイコンを表示するようにタッチパネル式表示部４２２が制御される。
【０１１２】
このように、指示が受付けられた放送区分に対応する下位のチャンネルである地上デジタル放送のメインチャンネル、ＢＳデジタル放送のチャンネル、または、ＣＳデジタル放送のチャンネルのチャンネル番号が表示される。また、指示が受付けられた地上デジタル放送にメインチャンネルがある場合は、メインチャンネルのチャンネル番号が表示され、指示が受付けられたメインチャンネルに対応するサブチャンネルがない場合は、受付けられたメインチャンネルの選局が放送受信装置１に指示され、サブチャンネルがある場合は、サブチャンネルのチャンネル番号が表示され、指示が受付けられたサブチャンネルの選局が放送受信装置に指示される。その結果、階層的に放送区分および対応するチャンネルを選局することができるとともに、地上デジタル放送を含む放送区分のうちから地上デジタル放送のマルチチャンネル放送のメインチャンネルおよびサブチャンネルを階層的に選局することができるので、ユーザが効率よくチャンネルを選択することが可能なリモコン４２を提供することができる。
【０１１３】
また、タッチパネル式表示部４２２の表示画面上に設けられるユーザが接触した表示画面上の位置を感知して、位置を特定するための位置データを送信するタッチパネルセンサから受信した位置情報で示される位置に表示されているアイコンで示されるチャンネルや放送区分を選択する指示が受付けられる。
【０１１４】
このように、表示されているアイコンを直接的に接触することによってチャンネルや放送区分を選択することができる。その結果、ユーザがさらに効率よくチャンネルを選択することができる。
【０１１５】
また、汎用的な部品であるタッチパネルセンサを備えたタッチパネル式表示部４２２でリモコン４２の表示部を構成できる。その結果、リモコン４２の生産コストの上昇を抑えることができる。
【０１１６】
また、リモコン４２を備える放送受信装置１によって、ステップＳ２０２で、受信可能チャンネルデータが制御部１０のメモリ１０Ｂに記憶され、ステップＳ２０３で、記憶された受信可能チャンネルデータがリモコン４２に送信され、リモコン４２から選局信号が受信され、受信された選局信号で示されるチャンネルが選局される。
【０１１７】
その結果、ユーザが効率よくチャンネルを選択することが可能な放送受信装置１を提供することができる。
【０１１８】
また、放送受信装置１によって、ステップＳ２０２で、受信可能な放送のチャンネルを検索するオートスキャンが実行され、検索されたチャンネルを特定可能な受信可能チャンネルデータが記憶される。
【０１１９】
このように、受信可能な放送のチャンネルが変更された場合であっても、検索された結果によって受信可能チャンネルデータが更新される。その結果、受信可能な放送のチャンネルの変更に柔軟に対応することができる。
【０１２０】
［第２実施形態］
第２実施形態における放送受像装置１００は、第１実施形態における放送受信装置１にモニタ４００を含めたものである。したがって、第２実施形態においては、変形した構成について説明する。
【０１２１】
図９は、この発明の第２実施形態に従う放送受像装置１００の概略構成図である。
図９を参照して、放送受像装置１００は、第１実施形態で説明した放送受信装置１の構成と同様、制御部１０と、チューナ１６と、復調部１８と、デコーダ２２Ａと、リモコン送受信部２６とを含む。さらに、放送受像装置１００は、モニタ４００を含む。
【０１２２】
制御部１０、チューナ１６、復調部１８、および、リモコン送受信部２６は、図１で説明したので、説明は繰返さない。また、モニタ４００は、モニタ４０と同様であるので、説明は繰返さない。
【０１２３】
デコーダ２２Ａは、復調部１８から受けたＭＰＥＧ−２ＴＳ信号を映像信号および音声信号に復号する。そして、デコーダ２２Ａは、復号された映像信号および音声信号をモニタ４００へ出力する。
【０１２４】
以上説明したように、第２実施形態における放送受像装置１００によれば、放送受信装置１と同様の構成によって受信された放送がモニタ４００で表示される。
【０１２５】
このため、ユーザが効率よくチャンネルを選択することが可能な放送受像装置１００を提供することができる。
【０１２６】
なお、前述した図３および図４で説明したそれぞれの処理において、それぞれのステップは、後のステップに不都合が生じない限り、それぞれのステップの順序を前後入替えることができる。
【０１２７】
また、図３および図４で説明した処理を放送受信装置１または放送受像装置１００で実行するチャンネル切替制御方法、または、チャンネル切替制御プログラムとして発明を捉えることができる。
【０１２８】
今回開示された実施の形態はすべての点で例示であって制限的なものではないと考えられるべきである。本発明の範囲は、上記した説明ではなく、特許請求の範囲によって示され、特許請求の範囲と均等の意味および範囲内でのすべての変更が含まれることが意図される。
【図面の簡単な説明】
【０１２９】
【図１】この発明の第１実施形態に従う放送受信装置の概略構成図である。
【図２】この発明の第１実施形態に従う放送受信装置のリモコンの概略構成図である。
【図３】この発明の第１実施形態に従う放送受信装置の本体側およびリモコン側の選局処理の流れを示すフローチャートである。
【図４】この発明の第１実施形態に従う区分選択処理の流れを示すフローチャートである。
【図５】この発明の第１実施形態に従うリモコンに表示される画面を示す第１の表示画面図である。
【図６】この発明の第１実施形態に従うリモコンに表示される画面を示す第２の表示画面図である。
【図７】この発明の第１実施形態に従うリモコンに表示される画面を示す第３の表示画面図である。
【図８】この発明の第１実施形態に従うリモコンに表示される画面を示す第４の表示画面図である。
【図９】この発明の第２実施形態に従う放送受像装置の概略構成図である。
【符号の説明】
【０１３０】
１  放送受信装置、１０  制御部、１０Ａ  ＣＰＵ、１０Ｂ  メモリ、１６  チューナ、１８  復調部、２２，２２Ａ  デコーダ、２６  リモコン送受信部、３０  アンテナ、４０  モニタ、４２  リモコン、１００  放送受像装置、４００  モニタ、４２０  制御部、４２１  電源ボタン、４２２  タッチパネル式表示部、４２３  音量ＵＰボタン、４２４  音量ＤＯＷＮボタン、４２５  決定ボタン、４２６  方向操作ボタン、４２７  入力部、４２８  送受信部。
【図１】
2006352331.tif 000003
【図２】
2006352331.tif 000004
【図３】
2006352331.tif 000005
【図４】
2006352331.tif 000006
【図５】
2006352331.tif 000007
【図６】
2006352331.tif 000008
【図７】
2006352331.tif 000009
【図８】
2006352331.tif 000010
【図９】
2006352331.tif 000011